(57)【要約】【課題】流し台の開き戸式扉にワンタッチで取付可能で、使用者が大きく屈むことなくタオルを使用することができるタオル掛けを提供する。【解決手段】左右に所定間隔を有して配される一対の逆Ｕの字状掛止部２を、流し台の開き戸式の扉３の上端部に掛け止めて取り付けるようにしたタオル掛け１であって、一対の逆Ｕの字状掛止部２から一対の折り返し部６を介して使用者側に向けて斜め上方に延びる一対の支持アーム部８と、これら支持アーム部８の上端部同士を繋ぐように架け渡される掛止棒部９とを備え、開き戸式の扉３の上端よりも高くて流し台のワークトップの上面の高さ位置（ラインＨ）に近い高さ位置に掛止棒部９を配設して、該掛止棒部９にタオルを掛けるようにする。【選択図】図１
0003193993.tif 000002
【実用新案登録請求の範囲】
【請求項１】
左右に所定間隔を有して配される一対の逆Ｕの字状掛止部を、流し台の開き戸式扉の上端部に掛け止めて取り付けるようにしたタオル掛けであって、
前記一対の逆Ｕの字状掛止部から一対の折り返し部を介して使用者側に向けて斜め上方に延びる一対の支持アーム部と、これら支持アーム部の上端部同士を繋ぐように架け渡される掛止棒部とを備え、前記開き戸式扉の上端よりも高くて流し台のワークトップの上面に近い高さ位置に前記掛止棒部を配設して、該掛止棒部にタオルを掛けるようにしたことを特徴とするタオル掛け。
【請求項２】
前記一対の折り返し部が梁部材で連結される請求項１に記載のタオル掛け。
【請求項３】
前記逆Ｕの字状掛止部における開き戸式扉との対向面にクッション材が貼り付けられる請求項１または２に記載のタオル掛け。
【考案の詳細な説明】
【技術分野】
【０００１】
本考案は、タオルを掛けるためのタオル掛けに関し、特に、流し台の開き戸式扉に取り付けて使用するようにしたタオル掛けに関するものである。
【背景技術】
【０００２】
従来のタオル掛けとしては、図２（ａ）および（ｂ）に示されるようなものがある。
図２（ａ）に示されるタオル掛け１０１は、流し台の開き戸式扉１０２の上端部に、逆Ｕの字状掛止部１０３を引っ掛けて使用するようにしたものであり、下部にタオル掛止部１０４ａを有する側面視逆Ｌの字状のハンガー部材１０４の上端部が逆Ｕの字状掛止部１０３に枢着されて構成されている（例えば、特許文献１参照）。
図２（ｂ）に示されるタオル掛け１１１は、流し台の引き出しの前板上端部に取着されたライン取手１１２に取り付けて使用するようにしたものであり、ライン取手１１２に嵌め込み装着される左右一対のベース部材１１３と、これらベース部材１１３に上下に揺動自在に支持された左右一対のアーム部材１１４と、これらアーム部材１１４の先端部に支持された掛止バー１１５とを備え、掛止バー１１５を、流し台のワークトップ１１６の上面に近い高さ位置に位置決め可能に構成されている（例えば、特許文献２参照）。
【先行技術文献】
【特許文献】
【０００３】
【特許文献１】意匠登録第１３８１７２０号公報
【特許文献２】特開２０１１−２２９７４２号公報
【０００４】
しかしながら、図２（ａ）に示されるタオル掛け１０１では、タオルが掛けられるタオル掛止部１０４ａが扉１０２の上端よりもかなり低い位置にあるため、タオル掛止部１０４ａに掛けられたタオルを使用する際、使用者が大きく屈む必要があり、腰等への負担が大きくなるという問題点がある。
一方、図２（ｂ）に示されるタオル掛け１１１では、流し台のワークトップ１１６の上面に近い高さ位置に掛止バー１１５を位置決め可能とされているので、掛止バー１１５に掛けられたタオルを使用者が大きく屈むことなく容易に使用することができるものの、構造上、開き戸式扉に取り付けて使用することができないという問題点がある。
【考案の概要】
【考案が解決しようとする課題】
【０００５】
本考案は、前述のような問題点に鑑みてなされたもので、流し台の開き戸式扉にワンタッチで取付可能で、使用者が大きく屈むことなくタオルを使用することができるタオル掛けを提供することを目的とするものである。
【課題を解決するための手段】
【０００６】
前記目的を達成するために、本考案によるタオル掛けは、
左右に所定間隔を有して配される一対の逆Ｕの字状掛止部を、流し台の開き戸式扉の上端部に掛け止めて取り付けるようにしたタオル掛けであって、
前記一対の逆Ｕの字状掛止部から一対の折り返し部を介して使用者側に向けて斜め上方に延びる一対の支持アーム部と、これら支持アーム部の上端部同士を繋ぐように架け渡される掛止棒部とを備え、前記開き戸式扉の上端よりも高くて流し台のワークトップの上面に近い高さ位置に前記掛止棒部を配設して、該掛止棒部にタオルを掛けるようにしたことを特徴とするものである（第１考案）。
【０００７】
本考案において、前記一対の折り返し部が梁部材で連結されるのが好ましい（第２考案）。
【０００８】
本考案において、前記逆Ｕの字状掛止部における開き戸式扉との対向面にクッション材が貼り付けられるのが好ましい（第３考案）。
【考案の効果】
【０００９】
本考案のタオル掛けによれば、左右に所定間隔を有して配される一対の逆Ｕの字状掛止部を、流し台の開き戸式扉の上端部に掛け止めて取り付けるようにされているので、開き戸式扉にワンタッチで取り付けることができる。また、開き戸式扉の上端よりも高くて流し台のワークトップの上面に近い高さ位置に掛止棒部が配設され、該掛止棒部にタオルを掛けるようにされているので、使用者が大きく屈むことなくタオルを使用することができ、腰等への負担を軽減することができる。
【００１０】
第２考案の構成を採用することにより、タオルを掛止棒部に掛ける際に邪魔になることなく効果的に剛性を高めることができる。
【００１１】
第３考案の構成を採用することにより、開き戸式扉に傷が付くのを確実に防ぐことができる。
【図面の簡単な説明】
【００１２】
【図１】本考案の一実施形態に係るタオル掛けの使用状態を示す全体斜視図である。
【図２】従来のタオル掛けを示す図で、（ａ）は開き戸式扉の上端部に引っ掛けるタイプ、（ｂ）はライン取手に取り付けるタイプである。
【考案を実施するための形態】
【００１３】
次に、本考案によるタオル掛けの具体的な実施の形態について、図面を参照しつつ説明する。
【００１４】
図１に示されるタオル掛け１は、細長く延びる帯状板材を用いてその主要部分が作製されており、左右に所定間隔を有して配される一対の逆Ｕの字状掛止部２を備え、これら逆Ｕの字状掛止部２を流し台の開き戸式扉３（以下、単に「扉３」と称する。）の上端部に引っ掛けて使用するようにしたものである。
【００１５】
逆Ｕの字状掛止部２は、扉３の上端部に掛け止めることができるように逆Ｕの字状に折り曲げ形成されてなるものであって、鉛直方向に比較的長く延びて扉３の背面と対向する第１鉛直帯状板部２ａと、鉛直方向に比較的短く延びて扉３の正面と対向する第２鉛直帯状板部２ｂと、これら鉛直帯状板部２ａ，２ｂの上端部同士を繋ぐように水平方向に延びて扉３の上端面と対向する水平帯状板部２ｃとを有している。
各帯状板部２ａ，２ｂ，２ｃにおける扉３との対向面には、例えば発砲ウレタンゴム等のスポンジゴムよりなるクッション材４が貼り付けられている。
また、第１鉛直帯状板部２ａの下端部には、台所用品等を収容するのに便利な図示されない籠を吊り下げ支持することができるように、籠の吊り棒との連結のための連結孔５が形成されている。
【００１６】
一対の逆Ｕの字状掛止部２には、Ｕの字状屈曲部６ａと鉛直起立部６ｂとよりなる一対の折り返し部６が連設されている。
すなわち、一対の逆Ｕの字状掛止部２におけるそれぞれの第２鉛直帯状板部２ｂの下端側には、Ｕの字状屈曲部６ａの一端側が一体的に接続され、Ｕの字状屈曲部６ａの他端側から鉛直上向きに鉛直起立部６ｂが延設されている。
【００１７】
一対の折り返し部６は、梁部材７で連結されている。梁部材７は、一対の折り返し部６における左右のＵの字状屈曲部６ａを繋ぐ丸棒部材７ａ上に、デザイン性に富む加飾部材７ｂが溶接等により固着されて構成されている。
【００１８】
一対の折り返し部６には、左右の鉛直起立部６ｂの上端部分から使用者側に向けて斜め上方に延びる一対の支持アーム部８が連設されている。また、一対の支持アーム部８には、互いの上端部を繋ぐように掛止棒部９が架け渡されている。ここで、掛止棒部９と折り返し部６との水平距離で示されるタオル掛け１の懐寸法Ｓを可及的に大きくとるようにするとともに、流し台のワークトップの上面の高さ位置を示すラインＨに近い高さ位置に掛止棒部９を配設するように、一対の支持アーム部８の長さ寸法や一対の支持アーム部８の水平面に対する傾斜角度等が定められている。
【００１９】
＜作用効果の説明＞
本実施形態のタオル掛け１によれば、左右に所定間隔を有して配される一対の逆Ｕの字状掛止部２を、流し台の扉３の上端部に掛け止めて取り付けるようにされているので、扉３にワンタッチで取り付けることができる。また、扉３の上端よりも高くて流し台のワークトップの上面の高さ位置（ラインＨ）に近い高さ位置に掛止棒部９が配設され、該掛止棒部９にタオルを掛けるようにされているので、使用者が大きく屈むことなくタオルを使用することができ、腰等への負担を軽減することができる。
【００２０】
さらに、タオル掛け１の懐寸法Ｓが可及的に大きく設定されることにより、タオルを掛止棒部９に掛ける際の梁部材７との干渉を確実に防ぐことができて、掛止棒部９にタオルをより掛け易くすることができる。
また、一対の折り返し部６がデザイン性に富み補強機能を有する梁部材７で連結されるので、タオルを掛止棒部９に掛ける際に邪魔になることなく、意匠性を高めることができるとともに、効果的に剛性を高めることができる。
また、逆Ｕの字状掛止部２における各帯状板部２ａ，２ｂ，２ｃの扉３との対向面には、クッション材４が貼り付けられているので、逆Ｕの字状掛止部２を扉３に掛け止めることによって扉３に傷が付くのを確実に防ぐことができる。
【００２１】
以上、本考案のタオル掛けについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２２】
本考案のタオル掛けは、流し台の開き戸式扉にワンタッチで取付可能で、使用者が大きく屈むことなくタオルを使用することができるという特性を有していることから、流し台の開き戸式扉へのタオル掛けの用途に好適に用いることができる。
【符号の説明】
【００２３】
１    タオル掛け
２    逆Ｕの字状掛止部
３    開き戸式扉
４    クッション材
６    折り返し部
７    梁部材
８    支持アーム部
９    掛止棒部
【図１】
0003193993.tif 000003
【図２】
0003193993.tif 000004